(57)【要約】【課題】地山側からの湧水を確実に排水でき、防水シート施工面を平滑化でき、作業時間を短縮できる排水材及びトンネルの排水構造を提供する。【解決手段】排水材１１において、熱可塑性樹脂からなり可撓性及び遮水性を有する表裏平坦な帯体１３のトンネル掘穿坑道の地山側に対向する面に、相互間が通水空間２７となる複数の突条２５が一体に形成され、長手方向がトンネル掘穿坑道の少なくとも天井部から側底部までの長さを有する通水空間形成材２３と、通水性を有して、突条２５の突出先端に固定され、通水空間２７を覆うフィルター材２９と、を設けた。【選択図】  図２
2017089261.tif 000002
【特許請求の範囲】
【請求項１】
熱可塑性樹脂からなり可撓性及び遮水性を有する表裏平坦な帯体のトンネル掘穿坑道の地山側に対向する面に、相互間が通水空間となる複数の凸部が一体に形成され、長手方向が前記トンネル掘穿坑道の少なくとも天井部から側底部までの長さを有する通水空間形成材と、
通水性を有して、前記凸部の突出先端に固定され、前記通水空間を覆うフィルター材と、
を具備することを特徴とする排水材。
【請求項２】
熱可塑性樹脂からなり可撓性及び遮水性を有する表裏平坦な帯体のトンネル掘穿坑道の地山側に対向する面に、相互間が通水空間となる複数の凸部が一体に形成され、長手方向が前記トンネル掘穿坑道の少なくとも天井部から側底部までの長さを有する通水空間形成材と、
前記通水空間形成材の坑道側の面を覆って前記坑道側の面に固定される不織布と、
を具備することを特徴とする排水材。
【請求項３】
熱可塑性樹脂からなり可撓性及び遮水性を有する表裏平坦な帯体のトンネル掘穿坑道の地山側に対向する面に、相互間が通水空間となる複数の凸部が一体に形成され、長手方向が前記トンネル掘穿坑道の少なくとも天井部から側底部までの長さを有する通水空間形成材と、
通水性を有して、前記凸部の突出先端に固定され、前記通水空間を覆うフィルター材と、
前記通水空間形成材の坑道側の面を覆って前記坑道側の面に固定される不織布と、
を具備することを特徴とする排水材。
【請求項４】
請求項１，２，３のいずれか１つに記載の排水材を有するトンネルの排水構造であって、
トンネルの地山表面から一次覆工、充填材層、遮水シート及び二次覆工が順次設けられ、
前記一次覆工内面に前記通水空間を対向させた前記排水材が、前記トンネルの少なくとも天井部から側底部までの周方向に沿って前記充填材層に埋入されたことを特徴とするトンネルの排水構造。
【発明の詳細な説明】
【技術分野】
【０００１】
本発明は、排水材及びトンネルの排水構造に関する。
【背景技術】
【０００２】
湧水が多い箇所に用いられる種々の導水材が知られている。
特許文献１には、基材シートの平板状の基部の両面に互いに平行な突条とした突部を交互に設け、突部の先端部に、多孔質板とした透水性材料を固着し、基材シートの両面に、空隙と透水性材料とにより、通水路が形成される防水シートが開示される。
特許文献２には、不織布の間に突起部を有する樹脂板の波板を挟み不織布による樹脂板の被覆面は接着剤を用いて被覆接合する熱可塑性樹脂板状排水用ロ材が開示される。
また、特許文献３には、通水層と不透水層とを有する１枚のシートが開示される。通水層には、面に平行に走っている複数の流路（溝状）が設けられ、その流路壁は合成樹脂フィルムで構成される。この流路壁は、開放構造のもので、流路壁の上下面に流路空隙を確保するために固定用シート（不織布または織物）が接合される。このシートは、空隙を確保し得るものであればよく、さらに透水性に富む粗目のシート、特に不織布が好ましい、とされている。
【先行技術文献】
【特許文献】
【０００３】
【特許文献１】特開昭６４−０６２５９９号公報
【特許文献２】実開昭４８−０６７５１８号公報
【特許文献３】特開平５−１９５６９６号公報
【発明の概要】
【発明が解決しようとする課題】
【０００４】
しかしながら、上記した従来の導水材は、流路を一次覆工内面に対面させて貼り付けた場合、一次覆工内面からの遊離石灰の付着により、経年的に流路が目詰まりしやすい。また、導水材の坑道側に凹凸があると、防水シート施工面の平滑性が低下し、二次覆工コンクリートの背面拘束によりひび割れが生じやすい。さらに、防水シートの全てを導水材とした場合、コストが増大し、作業も繁雑となる。
【０００５】
本発明は上記状況に鑑みてなされたもので、その目的は、地山側からの湧水を確実に側底部へ排水でき、また、防水シート施工面を平滑化でき、施工のための作業時間を短縮できる排水材及びトンネルの排水構造を提供することにある。
【課題を解決するための手段】
【０００６】
次に、上記の課題を解決するための手段を、実施の形態に対応する図面を参照して説明する。
本発明の請求項１記載の排水材１１は、熱可塑性樹脂からなり可撓性及び遮水性を有する表裏平坦な帯体１３のトンネル掘穿坑道の地山側に対向する面に、相互間が通水空間２７となる複数の凸部が一体に形成され、長手方向が前記トンネル掘穿坑道の少なくとも天井部１５から側底部１７までの長さを有する通水空間形成材２３と、
通水性を有して、前記凸部の突出先端に固定され、前記通水空間２７を覆うフィルター材２９と、
を具備することを特徴とする。
【０００７】
この排水材１１では、帯状に形成されるので、一次覆工内面の特に湧水の多い箇所に局所的に貼設することができる。また、余分敷設の必要がないので、材料コストの低減、よじれ等の発生による施工性の低下が生じない。
また、排水材１１は、通水空間形成材２３の地山側に通水空間２７が配置される。この通水空間２７は、地山側がフィルター材２９によって覆われる。一次覆工内面から流入する遊離石灰は、フィルター材２９によって補足され、通水空間２７への侵入が抑制される。これにより、通水空間２７は、長期間に渡り目詰まりが抑制される。また、排水材１１は、坑道１８側の面が平坦面２１となるので、その上を覆う防水シート施工面の平滑化が可能となる。
【０００８】
本発明の請求項２記載の排水材１１は、熱可塑性樹脂からなり可撓性及び遮水性を有する表裏平坦な帯体１３のトンネル掘穿坑道の地山側に対向する面に、相互間が通水空間２７となる複数の凸部が一体に形成され、長手方向が前記トンネル掘穿坑道の少なくとも天井部１５から側底部１７までの長さを有する通水空間形成材２３と、
前記通水空間形成材２３の坑道１８側の面を覆って前記坑道１８側の面に固定される不織布と、
を具備することを特徴とする。
【０００９】
この排水材１１では、一次覆工内面の特に湧水の多い箇所に局所的に貼設することができる。余分敷設の必要がないので、材料コストの低減、よじれ等の発生による施工性の低下が生じない。また、排水材１１は、地山側に通水空間２７を有することで、地山側からの湧水を側底部１７へ排水できる。
また、排水材１１は、坑道１８側の面が平坦面２１となるので、その上を覆う防水シート施工面の平滑化が可能となる。また、排水材１１は、二次覆工のための充填材層に覆われる場合、帯体１３の坑道１８側の面に固定した不織布により充填材層との固定強度が高まる。
【００１０】
本発明の請求項３記載の排水材１１は、熱可塑性樹脂からなり可撓性及び遮水性を有する表裏平坦な帯体１３のトンネル掘穿坑道の地山側に対向する面に、相互間が通水空間２７となる複数の凸部が一体に形成され、長手方向が前記トンネル掘穿坑道の少なくとも天井部１５から側底部１７までの長さを有する通水空間形成材２３と、
通水性を有して、前記凸部の突出先端に固定され、前記通水空間２７を覆うフィルター材２９と、
前記通水空間形成材２３の坑道１８側の面を覆って前記坑道１８側の面に固定される不織布と、
を具備することを特徴とする。
【００１１】
この排水材１１では、帯状に形成されるので、一次覆工内面の特に湧水の多い箇所に局所的に貼設することができる。余分敷設の必要がないので、材料コストの低減、よじれ等の発生による施工性の低下が生じない。また、排水材１１は、通水空間形成材２３の地山側に通水空間２７が配置される。この通水空間２７は、フィルター材２９によって覆われる。一次覆工内面から流入する遊離石灰は、フィルター材２９によって補足され、通水空間２７への侵入が抑制される。これにより、通水空間２７は、長期間に渡り目詰まりが抑制される。
また、排水材１１は、坑道１８側の面が平坦面２１となるので、その上を覆う防水シート施工面の平滑化が可能となる。また、排水材１１は、二次覆工のための充填材層に覆われる場合、帯体１３の坑道１８側の面に固定した不織布により充填材層との固定強度が高まる。
【００１２】
本発明の請求項４記載のトンネル１９の排水構造は、請求項１，２，３のいずれか１つに記載の排水材１１を有するトンネル１９の排水構造であって、
トンネル１９の地山表面から一次覆工、充填材層、遮水シート３３及び二次覆工が順次設けられ、
前記一次覆工内面に前記通水空間２７を対向させた前記排水材１１が、前記トンネル１９の少なくとも天井部１５から側底部１７までの周方向に沿って前記充填材層に埋入されたことを特徴とする。
【００１３】
このトンネル１９の排水構造では、地山側にフィルター材２９を貼りつけることにより通水空間２７を保護した排水材１１を用いることで、より排水機能が高いトンネル１９を構築できる。排水材１１は、必要以上に湧水が多く、防水シートの施工ができない場合の局所的な導水材として利用が可能となる。排水材１１を用いた排水構造によれば、湧水量が多い場所であっても、防水シートを施工する前に、地山表面の全面にシート状排水材を施工しておく必要がなく工事の手間を省くことができる。
【発明の効果】
【００１４】
本発明に係る請求項１記載の排水材によれば、地山側からの湧水を確実に排水でき、また、帯状に形成されるので、一次覆工内面の特に湧水の多い箇所に局所的に貼設することができる。また、余分敷設の必要がないので、材料コストの低減、よじれ等の発生による施工性の低下が生じない。
また、排水材は、通水空間形成材の地山側に通水空間が配置され、且つフィルター材によって覆われるので、一次覆工内面から流入する遊離石灰は、フィルター材によって補足されることとなり、通水空間への侵入を抑制することができる。これにより、通水空間は、長期間に渡り目詰まりが抑制され、良好な排水が維持できる。また、排水材は、坑道側の面が平坦面となるので、その上を覆う防水シート施工面の平滑化が可能となり、このことから施工のための作業時間を短縮させることができる。
【００１５】
本発明に係る請求項２記載の排水材によれば、通水空間が確保でき、地山側からの湧水を側底部へ確実に排水できるとともに、不織布により二次覆工のための充填材層との接着性を高めることができる。
【００１６】
本発明に係る請求項３記載の排水材によれば、地山側からの湧水を確実に排水でき、また、帯状に形成されるので、一次覆工内面の特に湧水の多い箇所に局所的に貼設することができる。また、余分敷設の必要がないので、材料コストの低減、よじれ等の発生による施工性の低下が生じない。
また、排水材は、通水空間形成材の地山側に通水空間が配置され、且つフィルター材によって覆われるので、一次覆工内面から流入する遊離石灰は、フィルター材によって補足されることとなり、通水空間への侵入を抑制することができる。これにより、通水空間は、長期間に渡り目詰まりが抑制され、良好な排水が維持できる。また、排水材は、坑道側の面が平坦面となるので、その上を覆う防水シート施工面の平滑化が可能となり、このことから施工のための作業時間を短縮させることができる。
さらに、排水材は、二次覆工のための充填材層に覆われる場合に、帯体の坑道側の面に固定した不織布により充填材層との接着性が高まり、固定強度を高めることができる。
【００１７】
本発明に係る請求項４記載のトンネルの排水構造によれば、通水空間を維持する排水材によって、排水機能を確実に且つ長期に確保できるとともに、二次覆工の施工品質を向上でき、しかも、排水材が局所対応可能な帯状に形成されているので、安価にトンネルを構築できる。
【図面の簡単な説明】
【００１８】
【図１】本発明の実施形態に係る排水材を備えたトンネルの概略斜視図である。
【図２】図１に示した排水材の長手方向に直交する方向の断面図である。
【図３】図１に示した排水材の一部分を切り欠いた斜視図である。
【図４】地山側と止水シートとの間に設けられた排水材の長手方向に直交する方向の断面図である。
【図５】フィルター材の幅方向の両端縁が固定されない変形例に係る排水材の長手方向に直交する方向の断面図である。
【図６】突条が不連続の変形例に係る排水材の一部分を切り欠いた斜視図である。
【図７】凸部が複数の半球状の突起からなる変形例に係る排水材の長手方向に直交する方向の断面図である。
【図８】図７に示した排水材の一部分を切り欠いた斜視図である。
【図９】突起の先端に凹部が形成された変形例に係る排水材の長手方向に直交する方向の断面図である。
【図１０】図９に示した排水材の一部分を切り欠いた斜視図である。
【発明を実施するための形態】
【００１９】
以下、本発明に係る実施形態を図面を参照して説明する。
図１は本発明の実施形態に係る排水材を備えたトンネルの概略斜視図である。
本実施形態に係る排水材１１は、帯体１３を有する。帯体１３は、長手方向がトンネル掘穿坑道の周方向における少なくとも天井部１５から側底部１７までの長さを有する。帯体１３は、上記の倍の長さ、すなわち、トンネル掘穿坑道の内周の長さを有するものであっても勿論よい。また、天井部１５から側底部１７近傍までの任意の位置から側底部１７までの長さを有するものとしてもよい。このようにして、帯体１３を有する排水材１１は、例えばトンネル掘穿坑の内周を全長として地山側に貼設されたものが、トンネル１９の延在方向に間隔を有して配設される。
【００２０】
図２は図１に示した排水材の長手方向に直交する方向の断面図、図３は図１に示した排水材の一部分を切り欠いた斜視図である。
帯体１３は、熱可塑性樹脂からなり可撓性及び遮水性を有する。帯体１３は、表裏が平坦面２１である一方、トンネル掘穿坑道の地山側に対向する面に、複数の凸部が一体に形成される。つまり、帯体１３を構成要素に持った通水空間形成材２３は、トンネル掘穿坑道の地山側に対向する面が凸部により凹凸面となる。本実施形態において、凸部は、突条２５となる。突条２５は、帯体１３の長手方向に沿って延在し、長手方向に直交する方向（帯幅方向）に複数のものが平行に形成される。突条２５は、延在方向に直交する断面形状が例えば三角形に形成される。突条２５は、断面三角形で形成されることにより、高い圧縮強度を有し、耐久性が高められている。なお、この突条２５の断面形状は、その他の形状、例えば矩形や台形、或いはリブ状に形成されても良い。通水空間形成材２３は、突条２５の相互間が通水空間２７となる。従って、トンネル掘穿坑道の天井部１５から排水材１１に流下した水は、突条２５同士の間の通水空間２７に導かれて側底部１７へと排水される。つまり、通水空間形成材２３は、樋としての作用を有する。
【００２１】
なお、帯体１３の幅は、５０〜３００ｍｍが好適となる。突条２５の高さは１〜３０ｍｍが好適となる。通水空間形成材２３は、通水部分の帯体に対する面積割合を２０〜８０％が好ましい、また、通水空間形成材２３は、通水部分の全体幅に対する割合を５〜８０％が好ましい。
【００２２】
通水空間形成材２３は、突条２５の先端に、フィルター材２９が固定される。フィルター材２９と通水空間形成材２３との固定は、溶着や接着等によって行われる。フィルター材２９は、通水性を有し、通水空間２７を覆う。
フィルター材２９は、帯体１３と略同一の略帯形状に形成され、帯体１３の地山側に対向する面の全域を覆う。本実施形態において、フィルター材２９は、帯幅方向の両端縁が、帯体１３の両端縁に溶着または接着により固定される。この固定部は、重ね合わせ縁部３１となる。通水空間形成材２３にフィルター材２９を固定した排水材１１は、この重ね合わせ縁部３１に坑道１８側から釘打ちされて地山側に固定される。
【００２３】
フィルター材２９は、水を通すが、地山側である一次覆工内面から流れ出る遊離石灰等を効果的に補足する。フィルター材２９としては、例えば多孔質材を用いることができる。また、フィルター材２９には、いわゆる麺塊構造を有する線材集合体を用いることができる。線材集合体を構成する線材の材質は、植物繊維、ガラス繊維、合成繊維、金属等を用いることができる。また、フィルター材２９は、ウレタンスポンジ等の連続気泡のスポンジ等であってもよい。
【００２４】
さらに、フィルター材２９は、不織布の使用を排除するものではない。不織布は、例えばポリエステル、ポリアマイド、ポリプロピレン等の有機合成繊維フィラメントを堆積させて得る。不織布は、いわゆるスパンボンド法により多数個のオリフィスを有する紡糸ノズルからスダレ状に紡糸された多数本のフィラメントをエアージェット等で索引細化延伸し、下方に吹きつけ、このフィラメントを下方で水平移動する金網コンベアーの面上に所定の目付で堆積させてウエップとして得ることができる。但し、この場合、不織布は、遊離石灰の補足性を高めるために、目付が、２０〜１５０ｇ／ｍ2 の範囲であることが好ましく、さらに好ましくは、３０〜８０ｇ／ｍ2 の範囲であることが好ましい。不織布の目付が２０ｇ／ｍ2 より小さいと、遊離石灰が浸み込みやすくなり、目付が１５０ｇ／ｍ2 より大きいと、通水空間２７への透水性が低下する。
【００２５】
図４は地山側と止水シートとの間に設けられた排水材の長手方向に直交する方向の断面図である。
本実施形態に係るトンネル１９の排水構造は、トンネル１９の地山表面から一次覆工、充填材層、遮水シート３３及び二次覆工が順次設けられる。ロックボルト・吹付けコンクリートトンネル工法、いわゆるＮＡＴＭ工法では、ロックボルトを介して地山に吹付け施工した一次覆工と、トンネル１９の内周面となる二次覆工との間に、遮水シート３３を介在させる。これにより、一次覆工側からの湧水等が二次覆工側に漏れ出ることを防止する。
【００２６】
排水材１１は、一次覆工内面に通水空間２７を対向させて、トンネル１９の周方向の少なくとも一部、天井部１５から側底部１７に沿って、重ね合わせ縁部３１が釘３５等によって固定して取り付け施工される。図例では、排水材１１の坑道１８側に遮水シート３３が貼られる。遮水シート３３の坑道１８側は、二次覆工が施工される。この場合、排水材１１は、遮水シート３３を介在して二次覆工の充填材層に埋入される。
【００２７】
次に、上記した構成の作用を説明する。
本実施形態に係る排水材１１では、帯状に形成されるので、地山側となる一次覆工内面、特に湧水の多い箇所に局所的に貼設することができる。一次覆工内面の前面に敷設する必要はなく、余分敷設の必要がないので、材料コストの低減、よじれ等の発生による施工性の低下が生じない。また、排水材１１は、通水空間形成材２３の地山側に通水空間２７が配置される。この通水空間２７は、フィルター材２９によって覆われる。一次覆工内面から流入する遊離石灰等、エフロレッセンスの原因となる石灰分等は、フィルター材２９によって補足され、通水空間２７への侵入が抑制される。また、フィルター材２９の帯幅方向の両端縁と帯体１３の両端縁とを溶着または接着により固定した重ね合わせ縁部３１とすることにより、両端縁方向から石灰分等が進入することを抑制することができる。これにより、通水空間２７は、長期間に渡り目詰まりが抑制され、排水機能が維持される。また、排水材１１は、坑道１８側の面が平坦面２１となるので、その上を覆う防水シート施工面の平滑化が可能となる。
【００２８】
また、本実施形態に係るトンネル１９の排水構造では、地山側にフィルター材２９を貼りつけることにより通水空間２７を保護した排水材１１を用いることで、より排水機能が高いトンネル１９を構築できる。排水材１１は、山岳トンネルの現場等の特に湧水が多く、防水シートの施工が容易でない場合の局所的な導水材として利用が可能となる。排水材１１を用いた排水構造では、湧水量が多い場所であっても、防水シートを施工する前に、地山表面の全面にシート状排水材を施工しておく必要がなくなる。これにより、工事の手間を省くことができる。
【００２９】
次に、上記構成の変形例を説明する。
上記構成の排水材１１は、フィルター材２９を省略し、通水空間形成材２３の坑道１８側の面を覆って、不織布が固定されてもよい。
この排水材１１では、二次覆工のための充填材層に覆われる場合、帯体１３の坑道１８側の面に固定した不織布により充填材層との固定強度が高まる。つまり、不織布がアンカー効果を有することになる。その結果、充填材層との接着性を高めることができる。
【００３０】
また、上記構成の排水材１１は、通水空間形成材２３と、フィルター材２９と、通水空間形成材２３の坑道１８側の面に固定される不織布と、を備えるものであってもよい。
この排水材１１では、長期間に渡り通水空間２７の目詰まりが抑制され排水機能が維持される。また、防水シート施工面の平滑化が可能となる。また、不織布により充填材層との固定強度が高まる。その結果、地山側からの湧水を確実に排水でき、防水シート施工面を平滑化できるとともに、作業時間を短縮でき、しかも、充填材層との接着性を高めることができる。
【００３１】
図５はフィルター材の幅方向の両端縁が固定されない変形例に係る排水材の長手方向に直交する方向の断面図である。
排水材３７は、上述した実施形態のように帯体１３とフィルター材２９との各両端縁を固定せず、フィルター材２９の両側縁を、帯体１３に固定しなくてもよい。すなわち、排水材３７は、重ね合わせ縁部３１が形成されていない。
この排水材３７によれば、溶着や接着の手間を省いて安価に製造できる。また、この排水材３７を幅方向に連ねて広幅に構成させる際の接着代を両端縁に形成できる。
【００３２】
図６は突条が不連続の変形例に係る排水材の一部分を切り欠いた斜視図である。
また、排水材３９は、突条２５が連続して形成されなくてもよい。
この排水材３９によれば、帯幅方向の通水も可能となり、より目詰まりを生じにくくすることができる。また、排水材３９は、地山表面の曲面に沿わして湾曲しやすくでき、施工性を向上させることができる。
【００３３】
図７は凸部が複数の半球状の突起からなる変形例に係る排水材の長手方向に直交する方向の断面図、図８は図７に示した排水材の一部分を切り欠いた斜視図である。
また、排水材４１は、凸部を半球状突起４３として形成し、この半球状突起４３をマトリクス状に配置してもよい。
この排水材４１によれば、突条２５に比べ、凸部の圧縮強度を高くすることができる。これにより、例えば打設コンクリートの圧力等による通水空間２７の潰れを防止することができる。
【００３４】
図９は突起の先端に凹部が形成された変形例に係る排水材の長手方向に直交する方向の断面図、図１０は図９に示した排水材の一部分を切り欠いた斜視図である。
また、排水材４５は、半球状突起４７の先端に、凹部４９を形成することができる。フィルター材２９は、この凹部４９に溶着または接着される。
この排水材４５によれば、フィルター材２９と半球状突起４７の先端との接合面積を大きくすることができ、フィルター材２９と通水空間形成材２３との固定強度を大きくすることができる。また、全ての半球状突起４７に凹部４９を形成することにより、この半球状突起４７と一体の帯体１３を製造する際の原材料を減らして材料費を低減することができる。
【００３５】
さらに、排水材は、通水空間形成材として、上述したように、断面三角形の突条２５や半球状突起４３，４５のような帯体１３と一体成形されているものでなくてもよく、帯体１３とフィルター材２９との間で通水空間２７を構成できるものが挟持状態で固定されていれば良く、例えば、線材を突条とし、帯体１３の長手方向に沿って複数並列して固定して通水空間２７を構成させるものや、或いは上記したフィルター材２９と同様の構成である多孔質材や麺塊構造を有する線状集合体などの通水性が良好で、且つ圧縮強度、耐久性を有する素材を接着等の固定手段で一体化させるものとしてもよい。
【００３６】
従って、本実施形態に係る排水材１１，３７，３９，４１によれば、地山側からの湧水を確実に排水でき、防水シート施工面を平滑化でき、作業時間を短縮できる。
【００３７】
本実施形態に係るトンネル１９の排水構造によれば、通水空間を確実に且つ長期に確保できるとともに、二次覆工の施工品質を向上でき、しかも、排水材１１が局所対応可能な帯状に形成されているので、排水機能の高いトンネル１９を安価に構築できる。
【符号の説明】
【００３８】
１１…排水材
１３…帯体
１５…天井部
１７…側底部
１８…坑道
１９…トンネル
２３…通水空間形成材
２５…凸部（突条）
２７…通水空間
２９…フィルター材
３３…遮水シート
４３…凸部（半球状突起）
４７…凸部（凹部付き半球状突起）
【図１】
2017089261.tif 000003
【図２】
2017089261.tif 000004
【図３】
2017089261.tif 000005
【図４】
2017089261.tif 000006
【図５】
2017089261.tif 000007
【図６】
2017089261.tif 000008
【図７】
2017089261.tif 000009
【図８】
2017089261.tif 000010
【図９】
2017089261.tif 000011
【図１０】
2017089261.tif 000012